(57)【要約】      （修正有）【課題】披露宴などの宴席で使われている厚紙等を使った席札の代わりとして、廃棄することなく宴席終了後も使用できるようにした席札を提供する。【解決手段】名札部３を木製の小板とし、レーザー彫刻又は印刷にて氏名を記入し、上部に小穴をあけ、そこに取り付け用チェーン又は紐２を付けけるようにし、この名札３を席札として使用できるように収納孔４Ａ４Ｂを設けた保持用台紙４と、表面にメッセージを記入できる表紙１からなり、これらを収納するのに例えば、フロッピー（登録商標）ディスクケース６のようなプラスチックケースを利用する。これにより、保管にも、また、席札としての表示時には開いて立てることもできるようになる。【選択図】図３
0003111399.tif 000002
【実用新案登録請求の範囲】
【請求項１】
一端に起立自在部を設けたプラスチックケースの支持板６Ａと、この支持板６Ａに当てる裏台紙５と、この裏台紙上に当てる名札３及び接続用紐２をはめ込むための孔４Ａ，４Ｂをそれぞれ形成した保持用台紙４と、前記名札３及び接続用紐２を保持用台紙４にはめ込んだ後、各自の名前が表示された名札３が見える切り抜き孔１Ａを設けた装飾用表紙１とを有することを特徴とする席札。
【請求項２】
前記プラスチックケース６が、既存のフロッピーディスクの空ケースを利用することを特徴とする請求項１に記載の席札。
【請求項３】
前記表紙１には、祝の言葉などのコメントを入れられるようにしたことを特徴とする請求項１に記載の席札。
【考案の詳細な説明】
【技術分野】
【０００１】  本考案は、宴席などで使用される名前を記した板を保持する形態の木札型席札に関するものである。
【背景技術】
【０００２】  宴席等で使われる席札は、厚紙等に書かれたものとかカード類を使用したものが主流で、席の確認後は、ほとんどが捨てられてしまう状況である。
【考案の開示】
【考案が解決しようとする課題】
【０００３】  費用と手間をかけてつくった席札が、他の利用方法もなく捨てられてしまうのは実にもったいないことであり、資源の無駄使いでもある。そこで、作った席札を宴席終了後も出席者に喜んで使って貰えるようにした記念品となる席札を提供することを目的とする。
【課題を解決するための手段】
【０００４】  本考案は、名札部を木製の小板とし、レーザー彫刻又は印刷にて氏名を記入し、上部に小穴をあけ、そこに取り付け用チェーン又は紐を付けけるようにし、この名札を席札として使用できるように収納孔を設けた保持用台紙と、表面にメッセージを記入できる表紙からなり、これらを収納するのにプラスチックケース等を利用する。これにより、保管にも、また、席札としての表示時には開いて立てることもできるようにしたものである。
【考案の効果】
【０００５】  従来の厚紙席札とは違い、木製札に名前を彫刻することにより、高級感が感じられ、また、宴席終了後には携帯電話等の小物や鞄等に取り付けて使用できるので、単に席札としてだけではなく引き出物として、単体でも出席者に喜ばれるものと思われる。
【考案を実施するための最良の形態】
【０００６】  席札という用途からするとあまり高価なものだと敬遠される。安価で価値あるものとするため名札には木製を使用し、高級感を出すためにレーザー彫刻で名前を彫り込み、上部に小穴をあけ取り付け用の紐又はチェーンを付属させる。
名札部は、他にも、金属、プラスチック等でも代用できる。【０００７】  名札を席札として使えるように、名札と紐又は、チェーン保持用の孔を開けた例えば、硬質スポンジ材の台紙と、出席者へのメッセージを刷り込んだ化粧用厚紙を前面に配し、さらにこれらを収納するために例えば、市販のフロッピーディスクケースを利用する。このことにより、費用の低減と高級感とを実現している。
【実施例】
【０００８】  以下、添付図面に従って実施例を説明する。
図１は、例えば、フロッピーディスクケース６に入った席札が立てられた状態を示す。フロッピーディスクケース６を使用することにより、当該ケース６の蓋を約２９０度開くことにより、そのまま立てることができる。【０００９】  図２は、例えば、フロッピーディスクケース６に入った席札の状態を表す。名札３はレーザー彫刻機等で彫刻又は印刷された後、そのケース６に収められる。【００１０】  図３では席札の構造を示す。名札３は、接続用紐２と共に例えば、硬質スポンジ材の保持用台紙４にはめ込まれ、裏台紙５と表紙１と共にフロッピーディスクケース６に納められる。【００１１】  表紙１はデザイン、メッセージ共に自由に印刷が出来るようにする。【００１２】  図４は名札３に接続用紐２を取り付けた状態を示す。
【図面の簡単な説明】
【図１】  本考案の席札ケースの蓋を開け、席札として立てた状態を示す斜視図である。
【図２】  本席札がケースに入った状態を示す斜視図である。
【図３】  本席札の構成部品を示す分解斜視図である。
【図４】  本席札から取り出した名札に接続紐を取り付けた状態を示す斜視図である。
【符号の説明】
【００１３】  １    表紙
１Ａ  切り抜き孔
２    接続用紐
３    名札
４    保持用台紙
４Ａ  接続用紐はめ込み孔
４Ｂ  名札はめ込み孔
５    裏台紙
６    フロッピーディスクケース
６Ａ  支持板
【図１】
0003111399.tif 000003
【図２】
0003111399.tif 000004
【図３】
0003111399.tif 000005
【図４】
0003111399.tif 000006
【手続補正書】
【提出日】平成17年3月17日(2005.3.17)
【手続補正１】
【補正対象書類名】実用新案登録請求の範囲
【補正対象項目名】請求項２
【補正方法】変更
【補正の内容】
【請求項２】
前記プラスチックケース６が、既存のフロッピー（登録商標）ディスクの空ケースを利用することを特徴とする請求項１に記載の席札。
【手続補正２】
【補正対象書類名】明細書
【補正対象項目名】全文
【補正方法】変更
【補正の内容】
【考案の詳細な説明】
【技術分野】
【０００１】本考案は、宴席などで使用される名前を記した板を保持する形態の木札型席札に関するものである。
【背景技術】
【０００２】  宴席等で使われる席札は、厚紙等に書かれたものとかカード類を使用したものが主流で、席の確認後は、ほとんどが捨てられてしまう状況である。
【考案の開示】
【考案が解決しようとする課題】
【０００３】  費用と手間をかけてつくった席札が、他の利用方法もなく捨てられてしまうのは実にもったいないことであり、資源の無駄使いでもある。そこで、作った席札を宴席終了後も出席者に喜んで使って貰えるようにした記念品となる席札を提供することを目的とする。
【課題を解決するための手段】
【０００４】  本考案は、名札部を木製の小板とし、レーザー彫刻又は印刷にて氏名を記入し、上部に小穴をあけ、そこに取り付け用チェーン又は紐を付けけるようにし、この名札を席札として使用できるように収納孔を設けた保持用台紙と、表面にメッセージを記入できる表紙からなり、これらを収納するのにプラスチックケース等を利用する。これにより、保管にも、また、席札としての表示時には開いて立てることもできるようにしたものである。
【考案の効果】
【０００５】  従来の厚紙席札とは違い、木製札に名前を彫刻することにより、高級感が感じられ、また、宴席終了後には携帯電話等の小物や鞄等に取り付けて使用できるので、単に席札としてだけではなく引き出物として、単体でも出席者に喜ばれるものと思われる。
【考案を実施するための最良の形態】
【０００６】  席札という用途からするとあまり高価なものだと敬遠される。安価で価値あるものとするため名札には木製を使用し、高級感を出すためにレーザー彫刻で名前を彫り込み、上部に小穴をあけ取り付け用の紐又はチェーンを付属させる。
名札部は、他にも、金属、プラスチック等でも代用できる。【０００７】  名札を席札として使えるように、名札と紐又は、チェーン保持用の孔を開けた例えば、硬質スポンジ材の台紙と、出席者へのメッセージを刷り込んだ化粧用厚紙を前面に配し、さらにこれらを収納するために例えば、市販のフロッピー（登録商標）ディスクケースを利用する。このことにより、費用の低減と高級感とを実現している。
【実施例】
【０００８】  以下、添付図面に従って実施例を説明する。
図１は、例えば、フロッピー（登録商標）ディスクケース６に入った席札が立てられた状態を示す。フロッピー（登録商標）ディスクケース６を使用することにより、当該ケース６の蓋を約２９０度開くことにより、そのまま立てることができる。【０００９】    図２は、例えば、フロッピー（登録商標）ディスクケース６に入った席札の状態を表す。名札３  はレーザー彫刻機等で彫刻又は印刷された後、そのケース６に収められる。【００１０】  図３では席札の構造を示す。名札３は、接続用紐２と共に例えば、硬質スポンジ材の保持用台紙４にはめ込まれ、裏台紙５と表紙１と共にフロッピー（登録商標）ディスクケース６に納められる。【００１１】  表紙１はデザイン、メッセージ共に自由に印刷が出来るようにする。【００１２】  図４は名札３に接続用紐２を取り付けた状態を示す。
【図面の簡単な説明】
【図１】  本考案の席札ケースの蓋を開け、席札として立てた状態を示す斜視図である。
【図２】  本席札がケースに入った状態を示す斜視図である。
【図３】  本席札の構成部品を示す分解斜視図である。
【図４】  本席札から取り出した名札に接続紐を取り付けた状態を示す斜視図である。
【符号の説明】
【００１３】  １    表紙
１Ａ  切り抜き孔
２    接続用紐
３    名札
４    保持用台紙
４Ａ  接続用紐はめ込み孔
４Ｂ  名札はめ込み孔
５    裏台紙
６    フロッピー（登録商標）ディスクケース
６Ａ  支持板